【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
通信中継装置であって、
飛行体に搭載され、端末装置と通信網との間の通信を中継する中継通信局と、
前記中継通信局が前記端末装置から受信したデータ及び前記端末装置に送信するデータの少なくとも一方のデータを用いる情報処理を行う情報処理部と、を有し、
前記情報処理は、前記端末装置を搭載した他の飛行体を制御するための処理を含むことを特徴とする通信中継装置。
【請求項２】
請求項１に記載の通信中継装置において、
前記情報処理は、前記中継通信局によって形成されるセルにおいて前記端末装置との間で送受信されるデータに基づいて前記セルのトラヒックを分析し、前記セルを最適化するセル最適化処理を含むことを特徴とする通信中継装置。
【請求項３】
請求項２に記載の通信中継装置において、
前記セル最適化処理は、前記中継通信局を制御して前記セルの位置及びサイズの少なくとも一方を調節するセル調節処理を含むことを特徴とする通信中継装置。
【請求項４】
通信中継装置であって、
飛行体に搭載され、端末装置と通信網との間の通信を中継する中継通信局と、
前記中継通信局が前記端末装置から受信したデータ及び前記端末装置に送信するデータの少なくとも一方のデータを用いる情報処理を行う情報処理部と、を有し、
前記情報処理は、前記中継通信局によって形成されるセルにおいて前記端末装置との間で送受信されるデータに基づいて前記セルのトラヒックを分析し、前記中継通信局を制御して前記セルの位置及びサイズを調節するセル調節処理を含むことを特徴とする通信中継装置。
【請求項５】
請求項３又は４に記載の通信中継装置において、
前記セル調節処理は、当該通信中継装置の前記中継通信局によって形成される複数のセル間、又は、当該通信中継装置の前記中継通信局によって形成されるセルと他の飛行体に搭載される別の中継通信局によって形成されるセルとの間で、各セルに接続される端末装置の数の差が少なくなるように、前記セルの位置及びサイズを変更することを特徴とする通信中継装置。
【請求項６】
請求項１乃至５のいずれか１項に記載の通信中継装置において、
当該通信中継装置とは異なる他の飛行体に搭載された別の通信中継装置から無線通信によりデータを受信する受信部を有し、
前記情報処理部は、前記受信部が受信したデータも用いて前記情報処理を行うことを特徴とする通信中継装置。
【請求項７】
通信中継装置であって、
飛行体に搭載され、端末装置と通信網との間の通信を中継する中継通信局と、
前記中継通信局が前記端末装置から受信したデータ及び前記端末装置に送信するデータの少なくとも一方のデータを用いる情報処理を行う情報処理部と、
当該通信中継装置とは異なる他の飛行体に搭載される別の通信中継装置から無線通信によりデータを受信する受信部と、を有し、
前記情報処理部は、前記受信部が受信したデータも用いて前記情報処理を行うことを特徴とする通信中継装置。
【請求項８】
請求項６又は７に記載の通信中継装置において、
前記情報処理部の処理結果を前記別の通信中継装置へ送信する送信部を有することを特徴とする通信中継装置。
【請求項９】
請求項４又は７に記載の通信中継装置において、
前記情報処理は、前記端末装置を搭載した他の飛行体を制御するための処理を含むことを特徴とする通信中継装置。
【請求項１０】
請求項１乃至９のいずれか１項に記載の通信中継装置において、
前記情報処理は、前記中継通信局が無線通信を行う複数の端末装置間で送受信されるデータを前記通信網へ送信することなく該複数の端末装置間で送受信するための処理を含むことを特徴とする通信中継装置。
【請求項１１】
請求項１乃至１０のいずれか１項に記載の通信中継装置において、
前記情報処理は、前記中継通信局が前記端末装置から受信して前記通信網側に送信するデータのデータ量を削減するデータ量削減処理を含むことを特徴とする通信中継装置。
【請求項１２】
請求項１１に記載の通信中継装置において、
前記データ量削減処理は、前記中継通信局が前記端末装置からＩｏＴ（Ｉｎｔｅｒｎｅｔ  ｏｆ  Ｔｈｉｎｇｓ）用通信によって受信したＩｏＴデータのデータ量を削減することを特徴とする通信中継装置。
【請求項１３】
請求項１乃至１２のいずれか１項に記載の通信中継装置において、
前記中継通信局は、移動通信の基地局又はレピータであり、
前記情報処理部は、移動通信のコアネットワーク装置であることを特徴とする通信中継装置。
【請求項１４】
請求項１乃至１３のいずれかに記載の通信中継装置を複数備えた通信システム。
【請求項１５】
飛行体に搭載され端末装置と通信網との間の通信を中継する通信中継装置の中継通信局が前記端末装置から受信したデータ及び前記端末装置に送信するデータの少なくとも一方のデータを用いる情報処理を行う装置であって、
前記情報処理は、前記端末装置を搭載した他の飛行体を制御するための処理を含むことを特徴とする情報処理を行う装置。
【請求項１６】
飛行体に搭載され端末装置と通信網との間の通信を中継する通信中継装置の中継通信局が前記端末装置から受信したデータ及び前記端末装置に送信するデータの少なくとも一方のデータを用いる情報処理を行う装置であって、
前記情報処理は、前記中継通信局によって形成されるセルにおいて前記端末装置との間で送受信されるデータに基づいて前記セルのトラヒックを分析し、前記中継通信局を制御して前記セルの位置及びサイズを調節するセル調節処理を含むことを特徴とする情報処理を行う装置。
【請求項１７】
飛行体に搭載され端末装置と通信網との間の通信を中継する通信中継装置の中継通信局が前記端末装置から受信したデータ及び前記端末装置に送信するデータの少なくとも一方のデータを用いる情報処理を行う装置であって、
前記通信中継装置が他の飛行体に搭載された別の通信中継装置から受信したデータも用いて前記情報処理を行うことを特徴とする情報処理を行う装置。
【手続補正２】
【補正対象書類名】明細書
【補正対象項目名】発明の名称
【補正方法】変更
【補正の内容】
【発明の名称】通信中継装置、通信システム及び情報処理を行う装置
【手続補正３】
【補正対象書類名】明細書
【補正対象項目名】０００５
【補正方法】変更
【補正の内容】
【０００５】
本発明の一態様に係る通信中継装置は、飛行体に搭載され、端末装置と通信網との間の通信を中継する中継通信局と、前記中継通信局が前記端末装置から受信したデータ及び前記端末装置に送信するデータの少なくとも一方のデータを用いる情報処理を行う情報処理部と、を有する。
前記通信中継装置において、前記中継通信局は、移動通信の基地局又はレピータであってもよく、前記情報処理部は、移動通信のコアネットワーク装置であってもよい。
また、前記通信中継装置において、前記情報処理は、前記中継通信局によって形成されるセルにおいて前記端末装置との間で送受信されるデータに基づいて前記セルのトラヒックを分析し、前記セルを最適化するセル最適化処理を含んでもよい。
また、前記通信中継装置において、前記セル最適化処理は、前記中継通信局を制御して前記セルの位置及びサイズの少なくとも一方を調節するセル調節処理を含んでもよい。
また、前記通信中継装置において、前記セル調節処理は、当該通信中継装置の前記中継通信局によって形成される複数のセル間、又は、当該通信中継装置の前記中継通信局によって形成されるセルと他の飛行体に搭載される別の中継通信局によって形成されるセルとの間で、各セルに接続される端末装置の数の差が少なくなるように、前記セルの位置及びサイズの少なくとも一方を変更してもよい。
また、前記通信中継装置において、前記情報処理は、前記中継通信局が無線通信を行う複数の端末装置間で送受信されるデータを前記通信網へ送信することなく該複数の端末装置間で送受信するための処理を含んでもよい。
また、前記通信中継装置において、前記情報処理は、前記中継通信局が前記端末装置から受信して前記通信網側に送信するデータのデータ量を削減するデータ量削減処理を含んでもよい。
また、前記通信中継装置において、前記データ量削減処理は、前記中継通信局が前記端末装置からＩｏＴ（Ｉｎｔｅｒｎｅｔ  ｏｆ  Ｔｈｉｎｇｓ）用通信によって受信したＩｏＴデータのデータ量を削減してもよい。
また、前記通信中継装置において、前記情報処理は、前記端末装置を搭載した他の飛行体を制御するための処理を含んでもよい。
また、前記通信中継装置において、他の飛行体に搭載される別の通信中継装置から無線通信によりデータを受信する受信部を有し、前記情報処理部は、前記受信部が受信したデータも用いて前記情報処理を行ってもよい。
また、前記通信中継装置において、前記情報処理部の処理結果を前記別の通信中継装置へ送信する送信部を有してもよい。
【手続補正４】
【補正対象書類名】明細書
【補正対象項目名】００８０
【補正方法】変更
【補正の内容】
【００８０】
仮に、トラヒック分析処理やセル最適化処理を、地上又は海上に設置されている遠隔制御装置８５によって実行する構成であると、ＨＡＰＳ１０，２０と遠隔制御装置８５との間の通信処理に時間を要する結果、トラヒック分析処理及びセル最適化処理を短い時間間隔で繰り返し実施することが難しい。これに対し、本実施形態のように、トラヒック分析処理やセル最適化処理を実行するＥＰＣ装置１１５がＨＡＰＳ１０，２０に搭載されている構成であれば、通信処理に時間を要することがなく、トラヒック分析処理及びセル最適化処理を短い時間間隔で繰り返し実施することが可能となる。